(57)【要約】【課題】  遊技機筐体内部へ異物を挿入して、基板やスイッチ類を操作するという不正行為を確実に防止する。【解決手段】  遊技機筐体の前面に設けた開口部を塞ぐ可撓性を有する板状部材（例えば液晶表示装置）を備えるとともに、遊技機筐体内部の開口部の近傍に、保持枠１１０に保持された基板（例えば表示基板）を配設する。保持枠１１０に、板状部材の背面側に当接して、板状部材が遊技機筐体の内部へ向かって撓むことを防止する撓み規制部材１１８を設ける。遊技機筐体内部の開口部の近傍に、遊技機の動作に関する設定を行うための設定スイッチを配設することができる。【選択図】  図１
2005270547.tif 000002
【特許請求の範囲】
【請求項１】
遊技機筐体の前面に設けた開口部を塞ぐ可撓性を有する板状部材を備えるとともに、前記遊技機筐体内部の前記開口部の近傍に、保持枠に保持された基板を配設した遊技機において、
前記板状部材の背面側に当接して、前記板状部材が前記遊技機筐体の内部へ向かって撓むことを防止する撓み規制部材を、前記保持枠に設けたことを特徴とする遊技機。
【請求項２】
前記遊技機筐体内部の前記開口部の近傍に、遊技機の動作に関する設定を行うための設定スイッチを配設したことを特徴とする請求項１記載の遊技機。
【発明の詳細な説明】
【技術分野】
【０００１】
本発明は、遊技機筐体の前面に設けた開口部を塞ぐ可撓性を有する板状部材を備えた遊技機に関し、例えば、遊技機筐体の前面に液晶表示パネルを備えた遊技機に関する。
【背景技術】
【０００２】
従来、パチスロ遊技機に代表される遊技機として、前面扉の上部に液晶表示パネルを設けたものが知られている（例えば、特許文献１）。また、このような遊技機では、遊技機を電気的に制御するための各種の基板が遊技機筐体内に配設されている。
【０００３】
遊技機筐体内に配設された基板には、メイン制御基板、サブ制御基板等がある。これらの基板は、遊技機における遊技の進行、賞態様の発生、遊技メダルの払い出し等を制御するものであり、基板に実装されたＲＯＭには賞態様の発生に関する確率テーブル等が記憶されている。また、遊技機筐体内には中継基板も配設されており、電気部品とメイン制御基板あるいはサブ制御基板等の中継を行うようになっている。
また、遊技機筐体内には、賞態様が発生する確率を変更して設定するための確率設定スイッチ、制御装置を初期状態に戻すためのリセットスイッチ等が設けられている。
【０００４】
従来の遊技機では、遊技メダルの投入口や払出口、あるいは遊技機筐体と前面扉との隙間から針金等の異物を挿入し、制御装置を構成する基板や各種のスイッチ類を操作して、不正に利益を得るという不正行為が行われるおそれがあった。
このような不正行為を未然に防止するために、従来より種々の工夫が施されており、例えば、電子部品を実装した基板をケース内に封入し、ケース内部への異物進入を阻止しようとした遊技機が知られている（例えば、特許文献２参照）。
【０００５】
【特許文献１】特開平１０−１０８９３９号公報
【特許文献２】特開２０００−１０２６３８号公報
【発明の開示】
【発明が解決しようとする課題】
【０００６】
しかしながら、近年の液晶表示パネルは大型化されているため、遊技機内部に向かって押さえ付けた場合には、液晶表示パネルが撓んで開口部付近に隙間が生じるおそれがある。
したがって、液晶表示パネルを撓ませることにより生じた隙間から針金等の異物を挿入することにより、遊技機筐体の内部に設けた基板や各種のスイッチ類を操作するという不正行為が行われる可能性があった。
【０００７】
また、基板はケース内に収容されているが、基板には各種の電子部品が実装されており、これらの電子部品からは熱が発生する。このため、基板をケースにより完全に密閉することは不可能であり、ケースには複数の放熱孔を設けなければならない。
したがって、放熱孔から針金等の異物を挿入できる可能性もあり、不正行為を完全に防止することができるとは言い難かった。
【０００８】
本発明は、上述した事情に鑑み提案されたもので、遊技機筐体の前面に配設された可撓性を有する板状部材を遊技機筐体内部へ向かって撓まないようにして、遊技機筐体内部へ異物を挿入して基板やスイッチ類を操作するという不正行為を確実に防止することが可能な遊技機を提供することを目的とする。
【課題を解決するための手段】
【０００９】
本発明の遊技機は、上述した目的を達成するため、遊技機筐体（１）の前面に設けた開口部（１４）を塞ぐ可撓性を有する板状部材（例えば液晶表示パネル３）を備えるとともに、前記遊技機筐体（１）の内部の前記開口部（１４）の近傍に、保持枠（１１０）に保持された基板（例えば表示基板１００）を配設した遊技機（例えばパチスロ遊技機）において、
前記板状部材（液晶表示パネル３）の背面側に当接して、前記板状部材（液晶表示パネル３）が前記遊技機筐体（１）の内部へ向かって撓むことを防止する撓み規制部材（１１８）を、前記保持枠（１１０）に設けたことを特徴とするものである。
【００１０】
ここで、遊技機筐体（１）の前面とは、例えば、遊技機筐体（１）の前面に開閉可能に取り付けた前面扉（２）を含んだ概念である。また、可撓性を有する板状部材とは、例えば、液晶表示パネル（３）、装飾パネル、表示パネル等のことを言う。また、基板とは、電子部品が実装された基板のことであり、例えば、表示基板（１００）、メイン制御基板、サブ制御基板、中継基板、７セグメント基板、ランプ基板、ＬＥＤ基板、その他、遊技機の動作制御に関連した各種の基板のことを言う。
【００１１】
また、本発明の遊技機は、前記遊技機筐体（１）の内部の前記開口部（１４）の近傍に、遊技機の動作に関する設定を行うための設定スイッチ（例えば打止設定スイッチ１０３、精算設定スイッチ１０４、リセット／設定スイッチ１０５）を配設することが可能である。
ここで、設定スイッチとは、遊技機の動作を設定するためのスイッチのことであり、打止設定スイッチ（１０３）、精算設定スイッチ（１０４）、リセット／設定スイッチ（１０５）だけではなく、その他のスイッチ類であってもかまわない。
【発明の効果】
【００１２】
本発明の遊技機によれば、基板の保持枠に撓み規制部材を設け、この撓み規制部材により、遊技機筐体の前面に配設された可撓性を有する板状部材が遊技機筐体内部へ向かって撓まないように支持している。
したがって、可撓性を有する板状部材を遊技機筐体内部へ向かって押し込もうとしても、開口部付近に隙間が生じることがなく、この隙間から遊技機筐体内部へ異物を挿入して基板やスイッチ類を操作するという不正行為を確実に防止することが可能となる。
【００１３】
また、遊技機筐体内部へ異物を挿入することができないので、遊技機筐体内部の所望の位置に、遊技機の動作に関する設定を行うための設定スイッチを配設することができ、遊技機筐体内部の設計の自由度を増すことができる。
【発明を実施するための最良の形態】
【００１４】
以下、図面を参照して、本発明の実施形態を説明する。なお、以下の説明では、代表的な遊技機としてパチスロ遊技機を例にとって説明を行う。図２〜図４は、本発明の実施形態に係るパチスロ遊技機を示すもので、図２はパチスロ遊技機の正面図、図３はパチスロ遊技機の内部を示す前面扉の概略背面図、図４はパチスロ遊技機の一部を示す概略縦断面図である。また、図５は、表示基板を示すもので、（ａ）は表示基板の背面図、（ｂ）は表示基板の正面図である。さらに、図１は、表示基板を保持する保持枠の斜視図である。
【００１５】
＜パチスロ遊技機＞
本発明の実施形態に係るパチスロ遊技機は、図２に示すように、遊技機筐体１の前面に前面扉２が開閉可能に取り付けられており、前面扉２には、その前面のほぼ中央より上部に、遊技機筐体１内に配設した回転リール（図示せず）の表面が臨む液晶表示パネル３が配設されている。また、液晶表示パネル３の下方に位置する前面扉２には、表示基板１００が臨む表示窓４が設けられており、表示窓４の下方に位置する前面扉２には、ベットボタン５ａ、マックスベットボタン５ｂ、メダル投入口６、スタートレバー７、３個のストップボタン８ａ，８ｂ，８ｃ等が配設されている。
【００１６】
さらに、スタートレバー７等の下方に位置する前面扉２には、腰部パネル９が開閉可能に取り付けられており、腰部パネル９の下方に位置する前面扉２には、メダル払出口１０に臨むようにしてメダル受皿１１が配設されている。また、前面扉２の上部には、装飾パネル１２が取り付けられており、装飾パネル１２の左右には、それぞれスピーカ１３ａ，１３ｂが取り付けられている。
【００１７】
液晶表示パネル３は、可撓性を有する板状の部材であり、図３に示すように、前面扉２に設けた開口部１４を塞ぐようにして前面扉２に取り付けられている。また、前面扉２の内部には、液晶表示パネル３の下方に位置するようにして、保持枠１１０に保持された表示基板１００が取り付けられている。
【００１８】
＜表示基板＞
表示基板１００は、図５（ａ）、（ｂ）に示すように、基板本体１０１の前面側に複数の７セグメント表示器１０６が配設されるとともに、基板本体１０１の背面側に複数のコネクタ１０２ａ〜１０２ｉ、打止設定スイッチ１０３、精算設定スイッチ１０４、およびリセット／設定スイッチ１０５が配設されている。すなわち、この表示基板１００は、７セグメント表示器１０６により遊技メダルの払出数等を表示するための役目を担うとともに、前面扉２に配設されたスタートレバー７やストップボタン８ａ，８ｂ，８ｃ等の配線を中継するための中継基板としての役目も担っている。
【００１９】
ここで、打止設定スイッチ１０３は、ビッグボーナスゲーム終了後に自動的に打止状態とするか否かを設定するためのスイッチであり、精算設定スイッチ１０４は、ビッグボーナス終了後に自動的にクレジットされた遊技メダルを精算するか否かを設定するためのスイッチであり、リセット／設定スイッチ１０５は、エラー解除を行うとともに、賞態様が発生する確率を変更して設定するためのスイッチである。
【００２０】
この表示基板１００は、図４に示すように、保持枠１１０に保持されて、前面扉２の内部に取り付けられている。なお、前面扉２には、透光性を有するアクリル板等を配設した表示窓４が形成されており、この表示窓４を介して、遊技者側から７セグメント表示器１０６を目視することができるようになっている。
【００２１】
＜保持枠＞
保持枠１１０は、図１に示すように、外枠１１１の内部が上下二段に分割されており、上段側が７セグメント表示器１０６を設けた表示基板１００の上半部分を保持する保持部１１２となり、下段側が複数のコネクタ１０２ａ〜１０２ｉ、打止設定スイッチ１０３、精算設定スイッチ１０４、およびリセット／設定スイッチ１０５を設けた表示基板１００の下半部分を位置させる透孔部１１３となっている。また、保持部１１２には、透孔部１１３との境界部分にボス部１１４が形成されている。
【００２２】
また、表示基板１００の前面は、図４に示すように、ポリカーボネート等からなる保護シート１１５により被覆されている。
保持枠１１０に表示基板１００を取り付けるには、図４に示すように、外枠１１１の内部（図４において左側）に表示基板１００を位置させ、表示基板１００に設けたネジ挿通孔１１６（図５参照）にネジ１１７を挿通し、ネジ１１７の先端部をボス部１１４に設けたネジ穴１１４ａにねじ込めばよい。
【００２３】
＜撓み規制部材＞
さらに、外枠１１１の上側外周面には、図１、図３および図４に示すように、上方かつ斜め前方に向かって突出する撓み規制部材１１８が設けられている。この撓み規制部材１１８は、図３に示すように、その先端部が液晶表示パネル３の背面側に当接することにより、液晶表示パネル３が前面扉２の内部へ向かって撓まないように支持するための部材である。
【００２４】
なお、撓み規制部材１１８は、製造を容易とする点で、保持枠１１０と一体となるように成型することが好ましいが、保持枠１１０とは別体に形成し、保持枠１１０に取り付けることも可能である。
【００２５】
また、撓み規制部材１１８の強度を増すという点で、撓み規制部材１１８と保持枠１１０との間に、三角形状のリブ１１９（控え壁）を複数設けることが好ましい。
【００２６】
また、撓み規制部材１１８は、必ずしも連続した板状部材として形成する必要はなく、液晶表示パネル３を前面扉２の内部へ向かって撓まないように支持することができる強度を有していれば、例えば櫛歯状とすることもできる。
【００２７】
＜他の実施形態＞
本実施形態の遊技機によれば、撓み規制部材１１８により液晶表示パネル３が前面扉２の内部へ向かって撓まないように支持されるので、たとえ液晶表示パネル３を遊技機筐体１の内部へ向かって押し込もうとしても液晶表示パネル３が撓むことがなく、開口部１４付近に隙間が生じることがない。したがって、開口部１４付近から遊技機筐体１の内部へ針金等の異物を挿入することができないため、各種の基板やスイッチ類を操作するという不正行為を確実に防止することができる。
【００２８】
このため、遊技機筐体１の内部の所望の位置に、メイン制御基板、サブ制御基板、中継基板、７セグメント基板、ランプ基板、ＬＥＤ基板等の各種の基板や、打止設定スイッチ１０３、精算設定スイッチ１０４、リセット／設定スイッチ１０５等の各種のスイッチを配設することができる。
【００２９】
また、本発明の遊技機は、パチスロ遊技機に限られるものではなく、遊技機筐体１の前面に設けた開口部１４を塞ぐ可撓性を有する板状部材を備えるとともに、遊技機筐体１の内部の開口部１４の近傍に、保持枠１１０に保持された基板（例えば表示基板１００）を配設した遊技機であれば、他の種類の遊技機にも適用することができる。
【００３０】
この場合、可撓性を有する板状部材は、液晶表示パネル３に限られず、装飾パネル、表示パネル等、開口部１４を塞ぐ他の種類のパネルであってもよい。
【図面の簡単な説明】
【００３１】
【図１】本発明の実施形態に係る表示基板を保持する保持枠の斜視図
【図２】本発明の実施形態に係るパチスロ遊技機の正面図
【図３】本発明の実施形態に係るパチスロ遊技機の内部を示す前面扉の概略背面図
【図４】本発明の実施形態に係るパチスロ遊技機の一部を示す概略縦断面図
【図５】本発明の実施形態に係る表示基板を示すもので、（ａ）は表示基板の背面図、（ｂ）は表示基板の正面図
【符号の説明】
【００３２】
１  遊技機筐体
２  前面扉
３  液晶表示パネル
４  表示窓
５ａ  ベットボタン
５ｂ  マックスベットボタン
６  メダル投入口
７  スタートレバー
８ａ〜８ｃ  ストップボタン
９  腰部パネル
１０  メダル払出口
１１  メダル受皿
１２  装飾パネル
１３ａ，１３ｂ  スピーカ
１４  開口部
１００  表示基板
１０１  基板本体
１０２ａ〜１０２ｉ  コネクタ
１０３  打止設定スイッチ
１０４  精算設定スイッチ
１０５  リセット／設定スイッチ
１０６  ７セグメント表示器
１１０  保持枠
１１１  外枠
１１２  保持部
１１３  透孔部
１１４  ボス部
１１４ａ  ネジ穴
１１５  保護シート
１１６  ネジ挿通孔
１１７  ネジ
１１８  撓み規制部材
１１９  リブ
【図１】
2005270547.tif 000003
【図２】
2005270547.tif 000004
【図３】
2005270547.tif 000005
【図４】
2005270547.tif 000006
【図５】
2005270547.tif 000007